(57)【要約】  本開示の実施形態は、新無線（ＮＲ）関連ネットワークにおける適切な障害セカンダリセルグループ（ＳＣＧ）のための方法、装置、記憶媒体、及びシステムを記載する。様々な実施形態は、ネットワーク内のマスターノード（ＭＮ）が、その周波数及びサブキャリア間隔を含む対応する障害発生参照信号を確認し得るように、十分はＳＣＧ障害報告を生成する方法を説明している。従って、ＭＮは、ＵＥ及びネットワーク通信を効率的に構成し得る。他の実施形態も、記載及び特許請求され得る。
2022500955.tif 000002
【特許請求の範囲】
【請求項１】
ユーザ機器（ＵＥ）の１つ以上のプロセッサによる命令の実行時に、前記ＵＥに、
セカンダリセルグループ（ＳＣＧ）の参照信号の障害発生測定に基づいて、前記参照信号のサブキャリア間隔（ＳＣＳ）又は前記測定の測定識別（ＩＤ）を示す情報要素（ＩＥ）を生成させ、
前記ＩＥを含むメッセージをアクセスノード（ＡＮ）に送信させる
命令を備える、１つ以上のコンピュータ可読媒体（ＣＲＭ）。
【請求項２】
前記ＩＥが、前記ＳＣＧの前記参照信号の前記障害発生測定を報告するものであり、ＭｅａｓＲｅｓｕｌｔＳＣＧ−ＦａｉｌｕｒｅＩＥである、請求項１に記載の１つ以上のＣＲＭ。
【請求項３】
前記参照信号が、同期信号ブロック（ＳＳＢ）又はチャネルステータス情報参照信号（ＣＳＩ−ＲＳ）を含む、請求項１に記載の１つ以上のＣＲＭ。
【請求項４】
前記ＩＥが、前記ＩＥが前記参照信号の前記ＳＣＳ又は前記測定の前記測定ＩＤの情報を含むことを示すビットを含む、請求項１に記載の１つ以上のＣＲＭ。
【請求項５】
前記ＩＥが第１のＩＥであり、実行時に、前記命令が前記ＵＥに、前記第１のＩＥが前記参照信号の前記ＳＣＳ又は前記測定の前記測定ＩＤの情報を含むことを示すための第２のＩＥを更に生成させるものである、請求項１に記載の１つ以上のＣＲＭ。
【請求項６】
実行時に、前記命令が前記ＵＥに更に、
前記ＳＣＧのセル、又は前記ＳＣＧの前記セルのビームに関する前記参照信号を測定させ、
前記ＳＣＧの前記セル又は前記ＳＣＧの前記セルの前記ビームに関する前記参照信号の前記測定からの１つ以上の測定結果に基づいて、前記測定が障害発生測定であると判定させる
請求項１から５のいずれか一項に記載の１つ以上のＣＲＭ。
【請求項７】
前記セルが、前記ＳＣＧに関するサービングセル又は隣接セルである、請求項６に記載の１つ以上のＣＲＭ。
【請求項８】
前記参照信号が、サービングセル又は隣接セルのサービング周波数、又は前記隣接セルの非サービング周波数で動作するものである、請求項６に記載の１つ以上のＣＲＭ。
【請求項９】
前記サービング周波数及び前記非サービング周波数が新無線（ＮＲ）周波数である、請求項８に記載の１つ以上のＣＲＭ。
【請求項１０】
前記ＡＮが、進化型ユニバーサル地上無線アクセス−新無線二重接続性（ＥＮ−ＤＣ）ネットワーク、又は新無線−二重接続性（ＮＲ−ＤＣ）ネットワーク内のマスターノード（ＭＮ）である、請求項１から５のいずれか一項に記載の１つ以上のＣＲＭ。
【請求項１１】
アクセスノード（ＡＮ）の１つ以上のプロセッサによる命令の実行時に、前記ＡＮに、
ユーザ機器（ＵＥ）によって生成された情報要素（ＩＥ）を含むメッセージの受信時に、参照信号のサブキャリア間隔（ＳＣＳ）又はセカンダリセルグループ（ＳＣＧ）の前記参照信号の障害発生測定の測定識別（ＩＤ）を示す前記ＩＥを復号化させ、及び、
前記ＳＣＧの前記参照信号の前記障害発生測定を識別するために前記参照信号の前記ＳＣＳを判定させる
命令を備える、１つ以上のコンピュータ可読媒体（ＣＲＭ）。
【請求項１２】
前記ＩＥが、前記ＳＣＧの前記参照信号の前記障害発生測定を報告するものであり、ＭｅａｓＲｅｓｕｌｔＳＣＧ−ＦａｉｌｕｒｅＩＥである、請求項１１に記載の１つ以上のＣＲＭ。
【請求項１３】
前記ＩＥが、前記ＩＥが前記参照信号の前記ＳＣＳ又は前記測定の前記測定ＩＤの情報を含むことを示すビットを含む、請求項１１に記載の１つ以上のＣＲＭ。
【請求項１４】
前記ＩＥが第１のＩＥであり、実行時に、前記命令が前記ＡＮに、前記第１のＩＥが前記参照信号の前記ＳＣＳ又は前記測定の前記測定ＩＤの情報を含むことを示すための第２のＩＥを更に復号化させるものである、請求項１１に記載の１つ以上のＣＲＭ。
【請求項１５】
実行時に、前記命令が、前記ＡＮに、少なくとも前記参照信号の前記判定されたＳＣＳに基づいて前記ＳＣＧを更にリリース又は変更させる、請求項１１から１４のいずれか一項に記載の１つ以上のＣＲＭ。
【請求項１６】
前記ＡＮが、進化型ユニバーサル地上無線アクセス−新無線二重接続性（ＥＮ−ＤＣ）ネットワーク、又は新無線−二重接続性（ＮＲ−ＤＣ）ネットワーク内のマスターノード（ＭＮ）である、請求項１１から１４のいずれか一項に記載の１つ以上のＣＲＭ。
【請求項１７】
ユーザ機器（ＵＥ）の装置であって、
セカンダリセルグループ（ＳＣＧ）の参照信号の測定に基づいて、ＳＣＧ障害を示す情報要素（ＩＥ）を生成するための処理回路であって、前記ＩＥが、前記参照信号のサブキャリア間隔（ＳＣＳ）又は前記測定の測定識別（ＩＤ）を示すものである、
処理回路と、
前記処理回路と結合したインターフェース回路であって、前記インターフェースが、前記ＳＣＧ障害を報告するために前記ＩＥをアクセスノード（ＡＮ）に送信する、インターフェース回路と
を備える装置。
【請求項１８】
前記インターフェース回路が更に、前記ＳＣＳに対応する前記参照信号及び前記ＳＣＧのセルに関するキャリア周波数を測定するものである、請求項１７に記載の装置。
【請求項１９】
前記処理回路が更に、前記参照信号の前記測定からの１つ以上の測定結果に基づいて、前記ＳＣＧが障害であると判定するものである、請求項１８に記載の装置。
【請求項２０】
前記ＩＥが、前記ＩＥが前記参照信号の前記ＳＣＳ又は前記測定の前記測定ＩＤの情報を含むことを示すビットを含む、請求項１７に記載の装置。
【請求項２１】
アクセスノード（ＡＮ）の装置であって、
ユーザ機器（ＵＥ）によって送信された情報要素（ＩＥ）の受信時に、参照信号の測定に基づいてセカンダリセルグループ（ＳＣＧ）の障害を示すものである前記ＩＥを復号化するための手段であって、前記ＩＥが、前記参照信号のサブキャリア間隔（ＳＣＳ）又は前記測定の測定識別（ＩＤ）を示すものである、手段と、
前記ＳＣＧ障害を識別するための前記参照信号の前記ＳＣＳを判定するための手段と
を備える装置。
【請求項２２】
前記ＩＥが、前記ＩＥが前記参照信号の前記ＳＣＳ又は前記測定の前記測定ＩＤの情報を含むことを示すビットを含む、請求項２１に記載の装置。
【請求項２３】
前記参照信号の判定された前記ＳＣＳを示すメッセージを生成するための手段と、
新無線（ＮＲ）通信で動作するセカンダリノード（ＳＮ）に前記メッセージを送信するための手段と
を更に備える、請求項２１に記載の装置。
【請求項２４】
前記ＡＮが、二重接続性（ＤＣ）ネットワーク内のマスターノード（ＭＮ）であり、前記ＳＣＧが、前記ＮＥ通信で動作する、請求項２１から２３のいずれか一項に記載の装置。
【発明の詳細な説明】
【技術分野】
【０００１】
本発明の実施形態は、概して、無線通信の技術分野に関する。
【０００２】
（関連出願の相互参照）
本出願は、その開示全体が参照により本明細書に組み込まれる、「Ｅｎｃｏｄｉｎｇ  ｏｆ  Ｓｅｃｏｎｄａｒｙ  Ｃｅｌｌ  Ｇｒｏｕｐ  Ｆａｉｌｕｒｅ  Ｍｅａｓｕｒｅｍｅｎｔ  Ｒｅｐｏｒｔ」と題された２０１８年９月２６日出願の米国仮特許出願第６２／７３６，９２６号明細書の優先権を主張する。
【背景技術】
【０００３】
背景技術は、概して、本開示の文脈を提示する。この背景技術のセクションに記載される範囲で、現在挙げられている発明者らの業績、並びに出願の時点で別途従来技術とは見なされ得ない説明の態様は、明示的にも暗黙的にも本開示に対抗する従来技術として認められるものではない。本明細書に別途記載されない限り、このセクションで説明されるアプローチは、本開示の請求項に対する従来技術ではなく、このセクションに含めることによって従来技術であると認められるものではない。
【０００４】
様々な第５世代（５Ｇ）新無線（ＮＲ）関連通信及び／又はネットワークが、サブ６ＧＨｚ及びミリメートル波（ミリ波）等の広い周波数範囲で開発されてきた。相応に、２つ以上のサブキャリア間隔（ＳＣＳ）が、ＮＲ関連通信において採用されてきた。ユーザ機器（ＵＥ）からの既存の測定報告、特に障害測定報告は、周波数、ＳＣＳ等に関して障害発生した測定対象（ＭＯ）を識別するのに十分な情報を提供しない場合がある。従って、ネットワークは、既存の障害測定報告に基づいてＭＯを識別することができない可能性がある。この点に関して、新しい解決策が必要とされている。
【０００５】
実施形態は、添付図面と併せて、以下の詳細な説明によって容易に理解される。この説明を容易にするために、類似の参照番号は類似の構造要素を指定する。添付図面の図において、実施形態が、限定ではなく例として示されている。
【図面の簡単な説明】
【０００６】
【図１】様々な実施形態による、無線ネットワーク内にユーザ機器（ＵＥ）及びアクセスノード（ＡＮ）を備えるネットワークの一例を概略的に示す。
【図２】様々な実施形態によるデバイスの例示の構成要素を示す。
【図３Ａ】いくつかの実施形態による、ミリメートル波（ミリ波）ＲＦＦＥ及び１つ以上のサブミリメートル波無線周波数集積回路（ＲＦＩＣ）を組み込んだ例示的な無線周波数フロントエンド（ＲＦＦＥ）を示す。
【図３Ｂ】様々な実施形態による、代替のＲＦＦＥを示す。
【図４】様々な実施形態による、５Ｇ  ＮＲ通信を伴う例示的なネットワークを示す。
【図５Ａ】様々な実施形態による、ＮＲ関連ネットワーク内のＵＥによる参照信号測定に関するセカンダリセルグループ（ＳＣＧ）障害を報告するプロセスを容易にするための動作フロー／アルゴリズム構造を示す。
【図５Ｂ】様々な実施形態による、ＮＲ関連ネットワーク内のＡＮ１１０による参照信号測定に関するＳＣＧ障害を報告するプロセスを容易にするための動作フロー／アルゴリズム構造を示す。
【図６】いくつかの実施形態によるベースバンド回路の例示的なインターフェースを示す。
【図７】いくつかの実施形態によるハードウェアリソースを示す。
【発明を実施するための形態】
【０００７】
以下の詳細な説明では、本明細書の一部を形成する添付図面が参照され、ここで、全体を通じて、類似の番号は類似の部分を指定し、実践され得る実施形態が、図によって示されている。本開示の範囲から逸脱することなく、他の実施形態が利用されてもよく、構造又はロジックの変更を行われ得ることが、理解されるべきである。従って、以下の詳細な説明は、限定的な意味で解釈されるべきではない。
【０００８】
様々な動作は、特許請求される主題を理解する上で最も有用な方法で、複数の別個のアクション又は動作として説明され得る。しかしながら、説明の順序は、これらの動作が必ずしも順序依存であることを示唆するものとして解釈されるべきではない。具体的には、これらの動作は、提示の順序で実行されなくてもよい。説明される動作は、説明される実施形態とは異なる順序で実行されてもよい。追加の実施形態では、様々な追加の動作が実行されてもよく、及び／又は説明された動作が省略されてもよい。
【０００９】
本開示の目的のために、「Ａ又はＢ」及び「Ａ及び／又はＢ」という句は、（Ａ）、（Ｂ）、又は（Ａ及びＢ）を意味する。本開示の目的のために、「Ａ、Ｂ、又はＣ」及び「Ａ、Ｂ、及び／又はＣ」という句は、（Ａ）、（Ｂ）、（Ｃ）、（Ａ及びＢ）、（Ａ及びＣ）、（Ｂ及びＣ）、又は（Ａ、Ｂ、及びＣ）を意味する。
【００１０】
説明は、「一実施形態では」又は「実施形態では」という句を使用する場合があるが、これらは各々、同じ又は異なる実施形態の１つ以上を指すことができる。更に、「備える（comprising）」、「含む（including）」、「有する（having）」等の用語は、本開示の実施形態に関連して使用される際に、同義である。
【００１１】
本明細書で使用される際に、「回路」という用語は、説明される機能性を提供する、集積回路（例えば、フィールドプログラマブルゲートアレイ（ＦＰＧＡ）、特定用途向け集積回路（ＡＳＩＣ）等）、ディスクリート回路、組み合わせロジック回路、システムオンチップ（ＳＯＣ）、システムインパッケージ（ＳｉＰ）の任意の組み合わせを指し、その一部であり、又はこれらを含み得る。いくつかの実施形態では、回路は、説明される機能を提供するために、１つ以上のソフトウェア又はファームウェアモジュールを実行し得る。いくつかの実施形態では、回路は、少なくとも部分的にハードウェアで動作可能なロジックを含み得る。
【００１２】
４Ｇ  ＬＴＥネットワークには、６ＧＨｚ未満の様々な帯域がある。ＮＲでは、周波数範囲１（ＦＲ１）は、一般にＮＲサブ６ＧＨｚと呼ばれる、４５０ＭＨｚから６，０００ＭＨｚまでの様々な帯域を含む、４Ｇ  ＬＴＥ周波数と重複し、これを拡張する。ＮＲは、一般にミリ波と呼ばれる、２４，２５０ＭＨｚから５２，６００ＭＨｚまでカバーする周波数範囲２（ＦＲ２）を更に含むが、ただし厳密に言うと、ミリメートル波周波数は３０ＧＨｚで始まる。本明細書では、ＦＲ１／ＦＲ２及びサブ６ＧＨｚ（６ＧＨｚ未満）／ミリ波のペアは、交換可能に使用される。
【００１３】
マルチ無線アクセス技術（ＲＡＴ）二重接続性（ＭＲ−ＤＣ）は、非理想的なバックホールを介して接続された２つの異なるノードの２つの異なるスケジューラによって提供される無線リソースを利用するように構成され得る多重受信（Ｒｘ）／送信（Ｔｘ）ＵＥを含むことができ、その一方は進化型ユニバーサル地上無線アクセス（Ｅ−ＵＴＲＡ）のアクセスを提供し、他方はＮＲアクセスを提供する。一方のスケジューラはマスターノード（ＭＮ）内に配置され、他方はセカンダリノード（ＳＮ）内に配置されている。ＭＮ及びＳＮはネットワークインターフェースを介して接続されており、少なくともＭＮはコアネットワークに接続されている。
【００１４】
ＭＲ−ＤＣは、Ｅ−ＵＴＲＡ−ＮＲ二重接続性（ＥＮ−ＤＣ）、ＮＧ−ＲＡＮ−Ｅ−ＵＴＲＡ−ＮＲ二重接続性（ＮＧＥＮ−ＤＣ）、及びＮＲ−Ｅ−ＵＴＲＡ二重接続性（ＮＥ−ＤＣ）を含み得るが、これらに限定されない。ＥＮ−ＤＣネットワーク又は通信では、ＵＥは、ＭＮとして機能する１つのエボルブドノードＢ（ｅＮＢ）又はｎｇ−ｅＮＢ、及びＳＮとして機能する１つの次世代ノードＢ（ｇＮＢ）に接続され得る。ｎｇ−ｅＮＢは、次世代（ＮＧ）インターフェースを介して５Ｇコアネットワークに接続するが、５Ｇ  ＵＥと通信するために依然としてＬＴＥ無線インターフェースを使用する、拡張ｅＮｏｄｅＢであり得る。そのため、基本的なｇＮＢ及びｎｇ−ｅＮＢの両方は、５Ｇコアに向けて新しいＮＧインターフェースを使用するが、ＵＥに向けては異なる無線インターフェースを使用する。なお、「ｅＮＢ」は、本明細書のいくつかの実施形態では、ｅＮＢ及び／又はｎｇ−ｅＮＢを示すために使用され得ることに留意されたい。ｅＮＢ又はｎｇ−ｅＮＢはエボルブドパケットコア（ＥＰＣ）に接続されており、ｇＮＢはｅＮＢに接続されている。ｇＮＢは、ＵＥに向けて新無線（ＮＲ）ユーザプレーン及び制御プレーンプロトコル終端を提供し、ＥＮ−ＤＣでＳＮとして機能するノードであり得る。対照的に、ＥＮ−ＤＣネットワーク又は通信では、ＵＥは、ＭＮとして機能する１つのｇＮＢ、及びＳＮとして機能する１つのｅＮＢ又はｎｇ−ｅＮＢに接続され得る。ｇＮＢは５Ｇコア（５ＧＣ）に接続されており、ｅＮＢ又はｎｇ−ｅＮＢは、Ｘｎインターフェースを介してｇＮＢに接続されている。いくつかの実施形態では、ＮＲスタンドアロン（ＳＡ）ネットワークは、ｇＮＢが５ＧＣに接続されており、ｅＮＢ（又は他のＬＴＥノード）がＮＲ−ＮＲ  ＤＣ通信に関与しない、ＮＲ−ＮＲ二重接続性を含み得る。
【００１５】
ＥＮ−ＤＣ、ＮＲ−ＮＲ  ＤＣ、及び／又はＭＮ及びＳＮを伴う同様のネットワークでは、ＵＥは、ＳＣＧの１つ以上のセルに対してセル及び／又はビーム測定を実行し得る。ＵＥが、特定の基準に基づいて、（１つ又は複数の）測定のうちの１つ以上に障害が発生したと判断した場合、ＵＥはＭＮにＳＣＧ障害報告を提供し得る。既存のＳＣＧ障害報告は、ＵＥによって測定される参照信号のＳＣＳ情報を含まなくてもよい。しかしながら、ＮＲ数秘術のおかげで利用可能ないくつかのＳＣＳがある。従って、参照信号測定は、参照信号の特定の周波数を有する１つ以上の特定のＳＣＳに障害が発生する可能性があるが、その全てではない。ＳＣＳを識別することなく、既存のＳＣＧ障害報告に基づいて障害が発生したセルレベル及び／又はビームレベル参照信号測定に関する十分な情報をＭＮが判断又は導出しないように、ＭＮの曖昧さを生じさせることができる。これは、これらのセル又はビームを介してアクセスしないようにＵＥを構成する上で、又はこれらのセル又はビームを介したアクセスを回避する上で、ネットワークに悪影響を及ぼす可能性がある。又、最良のセルレベル及び／又はビームレベル参照信号測定に関してこれらのセル又はビームを介してアクセスするようにＵＥを構成する上でもネットワークに悪影響を及ぼす可能性がある。更なる詳細は、図４を参照して以下で論じられる。
【００１６】
本明細書に記載される実施形態は、例えば、ＭＮ又はＳＮが（１つ又は複数の）障害発生セル／ビームレベル参照信号を識別し、ＳＣＧに対する対応する（１つ又は複数の）動作を決定することができるように、ＮＲ関連ネットワーク内の参照信号の十分な情報を有するＳＣＧ障害報告を生成するための装置、方法、及び記憶媒体を含み得る。なお、ＭＮ又が対応する（１つ又は複数の）動作を相応に決定し得るように、ＭＮ又はＳＮは、障害が発生したものの代わりに最良のセル／ビームレベル参照信号を識別し得ることに留意されたい。本明細書における参照信号測定は、セルに関するセルレベル及びビームレベル測定を含み得るが、これらに限定されない。実装形態は、ネットワークリソースがより効率的に利用され得る要に、ＭＮ及び／又はネットワークのための（１つ又は複数の）障害発生参照信号測定を認識する際の曖昧さを低減又は回避することができる。
【００１７】
図１は、本明細書の様々な実施形態による、例示的な無線ネットワーク１００（以下「ネットワーク１００」）を概略的に示す。ネットワーク１００は、ＡＮ１１０と無線通信しているＵＥ１０５を含み得る。いくつかの実施形態では、ネットワーク１００は、ＮＲ  ＳＡネットワークであってもよい。ＵＥ１０５は、ＡＮ１１０に接続されるように、例えば通信可能に結合されるように、構成され得る。この例では、接続１１２は、通信可能な結合を可能にするためのエアインターフェースとして示されており、ミリ波及びサブ６ＧＨｚで動作する５Ｇ  ＮＲプロトコル、移動通信用のグローバルシステム（ＧＳＭ）プロトコル、コード分割多元接続（ＣＤＭＡ）ネットワークプロトコル、プッシュツートーク（ＰＴＴ）プロトコル等のようなセルラー通信プロトコルに対応することができる。
【００１８】
ＵＥ１０５は、スマートフォン（例えば、１つ以上のセルラネットワークに接続可能なハンドヘルド型タッチスクリーンモバイルコンピューティングデバイス）として図示されているが、携帯情報端末（ＰＤＡ）、ページャ、ラップトップコンピュータ、デスクトップコンピュータ、無線ハンドセット、顧客構内設備（ＣＰＥ）、定無線アクセス（ＦＷＡ）デバイス、車載ＵＥ、又は無線通信インターフェースを含む任意のコンピューティングデバイス等の任意のモバイル又は非モバイルコンピューティングデバイスを含んでもよい。いくつかの実施形態では、ＵＥ１０５は、ＩｏＴ（Internet of Things）ＵＥを含むことができ、それは、短期ＵＥ接続を利用する低電力ＩｏＴアプリケーション用に設計されたネットワークアクセス層を含み得る。ＩｏＴ  ＵＥは、ＰＬＭＮ（パブリックランドモバイルネットワーク）、ＰｒｏＳｅ（Proximity-Based Service）又はＤ２Ｄ（ｄｅｖｉｃｅ−ｔｏ−ｄｅｖｉｃｅ）通信、センサネットワーク、又はＩｏＴネットワークを介して、ＭＴＣ（machine-type communication）サーバ若しくはデバイスとデータを交換するための、狭帯域ＩｏＴ（ＮＢ−ＩｏＴ）、Ｍ２Ｍ（machine-to-machine）、又はＭＴＣ等の技術を利用することができる。Ｍ２Ｍ又はＭＴＣデータ交換は、データの機械起動の交換であってもよい。ＮＢ−ＩｏＴ／ＭＴＣネットワークは、相互に接続するＮＢ−ＩｏＴ／ＭＴＣ  ＵＥを記述し、それは、短期接続による、（インターネットインフラストラクチャ内の）一意に識別可能な埋め込み型コンピューティングデバイスを含み得る。ＮＢ−ＩｏＴ／ＭＴＣ  ＵＥは、バックグラウンドアプリケーション（例えば、キープアライブメッセージ、ステータス更新、位置関連サービス等）を実行し得る。
【００１９】
ＡＮ１１０は、接続１１２を可能にするか、又は終了することができる。ＡＮ１１０は、基地局（ＢＳ）、ノードＢ、エボルブドノードＢ（ｅＮＢ）、次世代ノードＢ（ｇＮＢ又はｎｇ−ｇＮＢ）、ＮＧ−ＲＡＮノード、セル、サービングセル、隣接セル等と呼ばれることが可能であり、地理的エリア内のカバレッジを提供する地上局（例えば、地上アクセスポイント）又は衛星局を備えることができる。
【００２０】
ＡＮ１１０は、ＵＥ１０５の最初の接触点であり得る。いくつかの実施形態では、ＡＮ１１０は、様々なロジック機能を果たすことができ、その機能は、限定されないが、無線ベアラ管理、アップリンク及びダウンリンク動的無線リソース管理、並びにデータパケットスケジューリング、並びにモビリティ管理等の無線ネットワークコントローラ（ＲＮＣ）機能を含む。
【００２１】
いくつかの実施形態では、ダウンリンクリソースグリッドは、ＡＮ１１０からＵＥ１０５へのダウンリンク送信のために使用することができ、アップリンク送信は同様の技術を利用することができる。グリッドは、リソースグリッド又は時間周波数リソースグリッドと呼ばれる時間周波数グリッドとすることができ、それは、各スロット内の下りリンクの物理的リソースである。このような時間−周波数平面表現は、直交波周波数分割多重（ＯＦＤＭ）システムの一般的な慣習であり、それは無線リソース割り当ての直感的なものにする。リソースグリッドの各列及び各行は、それぞれ、１つのＯＦＤＭシンボル及び１つのＯＦＤＭサブキャリアに対応する。時間領域内のリソースグリッドの持続時間は、無線フレーム内の１つのスロットに対応する。リソースグリッドの最小時間周波数単位は、リソースエレメントと表記する。各リソースグリッドは、多数のリソースブロックを含み、それは、リソースエレメントへの特定の物理チャネルのマッピングを説明する。各リソースブロックは、リソースエレメントの集合を含み、周波数領域において、これは、現在割り当てられ得るリソースの最小量を表すことができる。このようなリソースブロックを用いて伝達されるいくつかの異なる物理下りリンクチャネルが存在する。
【００２２】
物理ダウンリンク共有チャネル（ＰＤＳＣＨ）は、ユーザデータ及び上位層シグナリングをＵＥ１０５に搬送することができる。物理下りリンク制御チャネル（ＰＤＣＣＨ）は、とりわけ、ＰＤＳＣＨチャネルに関するトランスポートフォーマット及びリソース割り当てに関する情報を搬送することができる。又、それは、アップリンク共有チャネルに関する伝送フォーマット、リソース割り当て、及びハイブリッド自動再送要求（ＨＡＲＱ）情報について、ＵＥ１０５に通知することもできる。典型的には、ダウンリンクスケジューリング（制御及び共有チャネルリソースブロックをセル内のＵＥ１０５に割り当てる）は、ＵＥ１０５からフィードバックされるチャネル品質情報に基づいて、ＡＮ１１０で実行されてもよい。ダウンリンクリソース割り当て情報は、ＵＥ１０５に対して使用される（例えば、割り当てられた）ＰＤＣＣＨで送信されてもよい。
【００２３】
ＰＤＣＣＨは、制御チャネルエレメント（ＣＣＥ）を使用して制御情報を伝達してもよい。リソースエレメントにマッピングされる前に、ＰＤＣＣＨ複素数値シンボルは最初に、４つの組（quadruplets）に編成されてもよく、その後、レートマッチングのためのサブブロックインターリーバを用いて入れ替えられてもよい。各ＰＤＣＣＨを、これらのＣＣＥのうちの１つ以上を用いて送信してもよく、各ＣＣＥは、リソースエレメントグループ（ＲＥＧ）として知られる４つの物理リソースエレメントの９つのセットに対応することができる。４つの四位相偏移変調（ＱＰＳＫ）シンボルを各ＲＥＧにマッピングしてもよい。ＰＤＣＣＨは、下りリンク制御情報（ＤＣＩ）のサイズ及びチャネル状態に応じて、１つ以上のＣＣＥを用いて送信することができる。
【００２４】
いくつかの実施形態は、上記の概念の拡張である制御チャネル情報のためのリソース割り当てのための概念を使用することができる。例えば、いくつかの実施形態は、制御情報送信のためにＰＤＳＣＨリソースを使用する拡張型物理ダウンリンク制御チャネル（ｅＰＤＣＣＨ）を利用することができる。ｅＰＤＣＣＨは、１つ以上の拡張された制御チャネル要素（ＥＣＣＥ）を用いて送信されてもよい。上記と同様に、各ＥＣＣＥは、拡張されたリソース要素グループ（ＥＲＥＧ）として知られる４つの物理リソース要素からなる９つのセットに対応し得る。ＥＣＣＥは、一部の状況では、他の数のＥＲＥＧを有してもよい。
【００２５】
図１に示されるように、ＵＥ１０５は、機能に応じてグループ化されたミリメートル波の通信回路を含み得る。ここで図示される回路は説明目的のものであり、ＵＥ１０５は、図３に示される別の回路を含んでもよい。ＵＥ１０５は、ディアアクセス制御（ＭＡＣ）、無線リンク制御（ＲＬＣ）、パケットデータカバレッジプロトコル（ＰＤＣＰ）、無線リソース制御（ＲＲＣ）、及び非アクセス層（ＮＡＳ）に関する層動作の１つ以上を実装し得る、プロトコル処理回路１１５を含み得る。プロトコル処理回路１１５は、命令を実行するための１つ以上の処理コア（図示せず）と、プログラム及びデータ情報を記憶するための１つ以上のメモリ構造（図示せず）とを含み得る。
【００２６】
ＵＥ１０５は、デジタルベースバンド回路１２５を更に含んでもよく、これは、ＨＡＲＱ機能、スクランブリング及び／又はデスクランブリング、符号化及び／又は復号化、層マッピング及び／又はデマッピング、変調シンボルマッピング、受信シンボル及び／又はビットメトリック判定、マルチアンテナポートプリコーディング及び／又は復号化のうちの１つ以上を含む物理層（ＰＨＹ）機能を実装することができ、これは空間時間、空間周波数、又は空間符号化、参照信号生成及び／又は検出、プリアンブルシーケンス生成及び／又は復号化、同期シーケンス生成及び／又は検出、制御チャネル信号ブラインド復号化、及びその他の関連する機能を含み得る。
【００２７】
ＵＥ１０５は、送信回路１３５と、受信回路１４５と、無線周波数（ＲＦ）回路１５５と、１つ以上のアンテナパネル１７５を含むか又はこれに接続され得るＲＦフロントエンド（ＲＦＦＥ）１６５とを更に含み得る。
【００２８】
いくつかの実施形態では、ＲＦ回路１５５は、送信又は受信機能の１つ以上のための複数の並列なＲＦチェーン又は分枝を含み得る。各チェーン又は分枝は、１つのアンテナパネル１７５と結合され得る。
【００２９】
いくつかの実施形態では、プロトコル処理回路１１５は、デジタルベースバンド回路１２５（又は単純に「ベースバンド回路１２５」）、送信回路１３５、受信回路１４５、無線周波数回路１５５、ＲＦＦＥ１６５、及び１つ以上のアンテナパネル１７５の制御機能を提供するための制御回路（図示せず）の１つ以上のインスタンスを含み得る。
【００３０】
ＵＥ受信は、１つ以上のアンテナパネル１７５、ＲＦＦＥ１６５、ＲＦ回路１５５、受信回路１４５、デジタルベースバンド回路１２５、及びプロトコル処理回路１１５によって、又はこれらを介して、確立され得る。１つ以上のアンテナパネル１７５は、１つ以上のアンテナパネル１７５の複数のアンテナ／アンテナ素子によって受信された受信ビーム形成信号による、ＡＮ１１０からの送信を受信し得る。ＵＥ１０５アーキテクチャに関する更なる詳細は、図２、図３、及び図６に示されている。ＡＮ１１０からの送信は、ＡＮ１１０のアンテナによって送信ビーム形成され得る。いくつかの実施形態では、ベースバンド回路１２５は、送信回路１３５及び受信回路１４５の両方を含み得る。別の実施形態では、ベースバンド回路１２５は別々のチップ又はモジュールに実装されてもよく、例えば１つのチップは送信回路１３５を含み、別のチップは受信回路１４５を含んでもよい。
【００３１】
ＵＥ１０５と同様にＡＮ１１０は、機能に応じてグループ化されたミリ波／サブミリ波の通信回路を含み得る。ＡＮ１１０は、プロトコル処理回路１２０、デジタルベースバンド回路１３０（又は単純に「ベースバンド回路１３０」）、送信回路１４０、受信回路１５０、ＲＦ回路１６０、ＲＦＦＥ１７０、及び１つ以上のアンテナパネル１８０を含み得る。
【００３２】
セル送信は、プロトコル処理回路１２０、デジタルベースバンド回路１３０、送信回路１４０、ＲＦ回路１６０、ＲＦＦＥ１７０、及び１つ以上のアンテナパネル１８０によって、又はこれらを介して確立され得る。１つ以上のアンテナパネル１８０は、送信ビームを形成することによって、信号を送信し得る。図３は、ＲＦＦＥ１７０及びアンテナパネル１８０に関する詳細を更に示す。
【００３３】
図２は、いくつかの実施形態によるデバイス２００の例示の構成要素を示す。図１とは対照的に、図２は、受信及び／又は送信機能の観点からＵＥ１０５又はＡＮ１１０の例示的な構成要素を示しており、図１で説明された構成要素の全てを含むとは限らない。いくつかの実施形態では、デバイス２００は、少なくとも図示されるように、アプリケーション回路２０２、ベースバンド回路２０４、ＲＦ回路２０６、ＲＦＦＥ回路２０８、及び複数のアンテナ２１０を一緒に含み得る。ベースバンド回路２０４は、いくつかの実施形態のベースバンド回路１２５と類似であってもよく、実質的に交換可能であり得る。複数のアンテナ２１０は、ビーム形成のための１つ以上のアンテナパネルを構成し得る。図示されるデバイス２００の構成要素は、ＵＥ又はＡＮに含まれてもよい。いくつかの実施形態では、デバイス２００は、より少ない要素しか含まなくてもよい（例えば、セルは、アプリケーション回路２０２を利用しなくてもよく、代わりに、ＥＰＣから受信したＩＰデータを処理するためのプロセッサ／コントローラを含んでもよい）。いくつかの実施形態では、デバイス２００は、例えば、メモリ／記憶装置、ディスプレイ、カメラ、センサ、又は入出力（Ｉ／Ｏ）インターフェース等の追加の要素を含んでもよい。他の実施形態では、以下に記載する構成要素は、２つ以上のデバイスに含まれてもよい（例えば、上記回路は、クラウドＲＡＮ（Ｃ−ＲＡＮ）実装のために２つ以上のデバイスに別々に含まれてもよい）。
【００３４】
アプリケーション回路２０２は、１つ以上のアプリケーションプロセッサを含み得る。例えば、アプリケーション回路２０２は、限定されないが、１つ以上のシングルコア又はマルチコアプロセッサ等の回路を含むことができる。（１つ又は複数の）プロセッサは、汎用プロセッサ及び専用プロセッサ（例えば、グラフィックプロセッサ、アプリケーションプロセッサ等）の任意の組み合わせを含んでもよい。プロセッサは、メモリ／記憶装置に連結されてもよいし、メモリ／記憶装置を含んでもよく、様々なアプリケーション又はオペレーティングシステムをデバイス２００上で実行することを可能にするために、メモリ／記憶装置に記憶された命令を実行するように構成されてもよい。いくつかの実施形態では、アプリケーション回路２０２のプロセッサは、ＥＰＣから受信したＩＰデータパケットを処理することができる。
【００３５】
ベースバンド回路２０４は、限定されないが、１つ以上のシングルコアプロセッサ又はマルチコアプロセッサ等の回路を含むことができる。ベースバンド回路２０４は、いくつかの実施形態のベースバンド回路１２５及びベースバンド回路１３０と類似であってもよく、実質的に交換可能であり得る。ベースバンド回路２０４は、ＲＦ回路２０６の受信信号経路から受信したベースバンド信号を処理し、ＲＦ回路２０６の送信信号経路のためのベースバンド信号を生成するための、１つ以上のベースバンドプロセッサ又は制御ロジックを含むことができる。ベースバンド回路２０４は、ベースバンド信号の生成及び処理のために、かつＲＦ回路２０６の動作を制御するために、アプリケーション回路２０２とインターフェース接続することができる。例えば、いくつかの実施形態では、ベースバンド回路２０４は、第３世代（３Ｇ）ベースバンドプロセッサ２０４Ａ、第４世代（４Ｇ）ベースバンドプロセッサ２０４Ｂ、第５世代（５Ｇ）ベースバンドプロセッサ２０４Ｃ、又は他の既存世代、開発中の、若しくは将来開発される世代（例えば、第２世代（２Ｇ）、第６世代（６Ｇ）等）の他のベースバンドプロセッサ２０４Ｄを含み得る。ベースバンド回路２０４（例えば、１つ以上のベースバンドプロセッサ２０４Ａ〜Ｄ）は、ＲＦ回路２０６を介した１つ以上の無線ネットワークとの通信を可能にする様々な無線制御機能を取り扱うことができる。別の実施形態では、ベースバンドプロセッサ２０４Ａ〜Ｄの機能の一部又は全部は、メモリ２０４Ｇに記憶されたモジュールに含まれ、中央処理装置（ＣＰＵ）２０４Ｅを介して実行されてもよい。無線制御機能は、信号変調／復調、符号化／復号化、無線周波数シフト等を含み得るが、これらに限定されない。いくつかの実施形態では、ベースバンド回路２０４の変調／復調回路は、高速フーリエ変換（ＦＦＴ）、プリコーディング、又はコンスタレーションマッピング／デマッピング機能性を含み得る。いくつかの実施形態では、ベースバンド回路２０４の符号化／復号回路は、畳込み、テールバイティング畳込み、ターボ、ビタビ、又は低密度パリティチェック（ＬＤＰＣ）エンコーダ／デコーダ機能性を含んでもよい。変調／復調及びエンコーダ／デコーダ機能の実施形態は、これらの実施例に限定されず、他の実施形態では他の好適な機能を含んでもよい。
【００３６】
いくつかの実施形態では、ベースバンド回路２０４は、１つ以上の音声デジタル信号プロセッサ（ＤＳＰ）（単数又は複数）２０４Ｆを含み得る。（１つ又は複数の）音声ＤＳＰ２０４Ｆは、圧縮／展開及びエコー除去のための要素を含んでもよく、他の実施形態では、他の好適な処理要素を含んでもよい。ベースバンド回路の構成要素は、いくつかの実施形態では、単一のチップ内、単一のチップセット内で好適に組み合わされてもよく、同じ回路基板上に配置されてもよい。いくつかの実施形態では、ベースバンド回路２０４及びアプリケーション回路２０２の構成要素の一部又は全部は、例えば、ＳＯＣ上に、一緒に実装されてもよい。
【００３７】
いくつかの実施形態では、ベースバンド回路２０４は、１つ以上の無線技術と互換性のある通信を提供することができる。例えば、いくつかの実施形態では、ベースバンド回路２０４は、進化型ユニバーサル地上無線アクセスネットワーク（Ｅ−ＵＴＲＡＮ）又は他の無線メトロポリタンエリアネットワーク（ＷＭＡＮ）、無線ローカルエリアネットワーク（ＷＬＡＮ）、無線パーソナルエリアネットワーク（ＷＰＡＮ）との通信をサポートすることができる。ベースバンド回路２０４が２つ以上の無線プロトコルの無線通信をサポートするように構成される実施形態は、マルチモードベースバンド回路と称される場合がある。
【００３８】
ＲＦ回路２０６は、非固体媒体を通した変調電磁放射線を用いて無線ネットワークとの通信を可能にすることができる。様々な実施形態では、ＲＦ回路２０６は、無線ネットワークとの通信を容易にするために、１つ以上のスイッチ、フィルタ、増幅器等を含んでもよい。ＲＦ回路２０６は、ＲＦＦＥ回路２０８から受信したＲＦ信号をダウンコンバートし、ベースバンド信号をベースバンド回路２０４に提供するための回路を含み得る、受信機回路２０６Ａを含み得る。ＲＦ回路２０６は又、ベースバンド回路２０４によって提供されるベースバンド信号をアップコンバートし、送信のためにＲＦ出力信号をＲＦＦＥ回路２０８に提供するための回路を含み得る送信機回路２０６Ｂも含み得る。
【００３９】
いくつかの実施形態では、出力ベースバンド信号及び入力ベースバンド信号はアナログベースバンド信号であってもよいが、実施形態の範囲はこの点で限定されない。いくつかの代替実施形態では、出力ベースバンド信号及び入力ベースバンド信号は、デジタルベースバンド信号であってもよい。これらの代替実施形態では、ＲＦ回路２０６は、アナログデジタル変換器（ＡＤＣ）及びデジタルアナログ変換器（ＤＡＣ）回路を含むことができ、ベースバンド回路２０４は、ＲＦ回路２０６と通信するためのデジタルベースバンドインターフェースを含んでもよい。
【００４０】
いくつかのデュアルモード実施形態では、各スペクトルの信号を処理するために別個の無線集積回路（ＩＣ）回路が提供されてもよいが、実施形態の範囲はこの点で限定されない。
【００４１】
ＲＦＦＥ回路２０８は、１つ以上のアンテナ２１０から受信したＲＦビーム上で動作するように構成された回路を含み得る、受信信号経路を含んでもよい。ＲＦビームは、ミリ波又はサブミリ波周波数範囲で動作している間にＡＮ１１０によって形成及び送信された送信ビームであり得る。１つ以上のアンテナ２１０と結合したＲＦＦＥ回路２０８は、送信ビームを受信し、更なる処理のためにこれらをＲＦ回路２０６に進めることができる。ＲＦＦＥ回路２０８は又、ビーム形成の有無にかかわらず、アンテナ２１０のうちの１つ以上によって送信するためにＲＦ回路２０６によって提供される送信のための信号を増幅するように構成された回路を含み得る、送信信号経路を含んでもよい。様々な実施形態では、送信又は受信信号経路を通じた増幅は、ＲＦ回路２０６のみにおいて、ＲＦＦＥ回路２０８のみにおいて、又はＲＦ回路２０６及びＲＦＦＥ回路２０８の両方において行われてもよい。
【００４２】
いくつかの実施形態では、ＲＦＦＥ回路２０８は、送信モードと受信モード動作との間で切り替えるためのＴＸ／ＲＸスイッチを含んでもよい。ＲＦＦＥ回路２０８は、受信信号経路及び送信信号経路を含み得る。ＲＦＦＥ回路２０８の受信信号経路は、受信したＲＦビームを増幅し、増幅された受信ＲＦ信号を出力として（例えば、ＲＦ回路２０６に）提供するための低雑音増幅器（ＬＮＡ）を含んでもよい。ＲＦＦＥ回路２０８の送信信号経路は、（例えば、ＲＦ回路２０６によって提供される）入力ＲＦ信号を増幅するための電力増幅器（ＰＡ）と、ビーム形成及び（例えば、１つ以上のアンテナ２１０のうちの１つ以上による）後続の送信のためにＲＦ信号を生成するための１つ以上のフィルタとを含むことができる。
【００４３】
アプリケーション回路２０２のプロセッサ及びベースバンド回路２０４のプロセッサを使用して、プロトコルスタックの１つ以上のインスタンスの要素を実行することができる。例えば、ベースバンド回路２０４のプロセッサを単独で又は組み合わせて使用することができ、層３、層２、又は層１の機能を実行することができる一方で、アプリケーション回路２０２のプロセッサは、これらの層から受信したデータ（例えば、パケットデータ）を利用してもよく、更に、層４の機能（例えば、伝送通信プロトコル（ＴＣＰ）及びユーザデータグラムプロトコル（ＵＤＰ）層）を実行してもよい。本明細書で言及するように、層３は、以下に更に詳細に記載する無線リソース制御（ＲＲＣ）レイヤを含んでもよい。本明細書で言及するように、層２は、以下に更に詳細に記載する、メディアアクセス制御（ＭＡＣ）層、無線リンク制御（ＲＬＣ）層、及びパケットデータ収束プロトコル（ＰＤＣＰ）層を含み得る。本明細書で言及するように、層１は、以下に更に詳細に説明される、ＵＥ／ＡＮの物理（ＰＨＹ）層を含み得る。
【００４４】
図３Ａは、ミリ波ＲＦＦＥ３０５及び１つ以上のサブ６ＧＨｚ無線周波数集積回路（ＲＦＩＣ）３１０を組み込んだ無線周波数フロントエンド３００の一実施形態を示す。ミリ波ＲＦＦＥ３０５は、いくつかの実施形態のＲＦＦＥ１６５、ＲＦＦＥ１７０、及び／又はＲＦＦＥ回路２０８と類似であってもよく、実質的に交換可能であり得る。ミリ波ＲＦＦＥ３０５は、ＦＲ２又はミリ波で動作している間にＵＥ１０５に使用されてもよい。ＲＦＩＣ３１０は、ＦＲ１、サブ６ＧＨｚ、又はＬＴＥ帯域で動作している間にＵＥ１０５に使用されてもよい。この実施形態では、１つ以上のＲＦＩＣ３１０は、ミリ波ＲＦＦＥ３０５から物理的に分離され得る。ＲＦＩＣ３１０は、１つ以上のアンテナ３２０との接続を含み得る。ＲＦＦＥ３０５は、１つ以上のアンテナパネルを構成し得る、複数のアンテナ３１５と結合され得る。
【００４５】
図３Ｂは、ＲＦＦＥ３２５の代替実施形態を示す。この態様では、ミリメートル波及びサブ６ＧＨｚの両方の無線機能が、同じ物理的ＲＦＦＥ３３０に実装され得る。ＲＦＦＥ３３０は、ミリメートル波アンテナ３３５及びサブ６ＧＨｚアンテナ３４０の両方を組み込んでもよい。ＲＦＦＥ３３０は、いくつかの実施形態のＲＦＦＥ１６５、ＲＦＦＥ１７０、及び／又はＲＦＦＥ回路２０８と類似であってもよく、実質的に交換可能であり得る。
【００４６】
図３Ａ及び図３Ｂは、ＵＥ１０５又はＡＮ１１０のいずれかの様々なＲＦＦＥアーキテクチャの実施形態を示す。
【００４７】
図４は、様々な実施形態による、５Ｇ  ＮＲ通信を伴う例示的なネットワーク４００を示す。ネットワーク４００は、ＥＮ−ＤＣネットワークであり得る。ネットワーク４００は、複数のＡＮ及び／又はＮｏｄｅＢ、例えば、ｅＮＢ４０５及びｇＮＢ４１０を含み得る。ｅＮＢ４０５及びｇＮＢ４１０は、図１のＡＮ１１０と同じか又は実質的に同様であってもよい。ｅＮＢ４０５はＭＮ４０５と呼ばれてもよく、ｇＮＢ４１０はＳＮ４１０と呼ばれてもよい。ｅＮＢ４０５は、ＵＥ１０５のプライマリサービングセル（ＰＣｅｌｌ）４１５を提供するか又はこれに関連付けられてもよい。ｅＮＢ４０５は、１つ以上のセカンダリセル（ＳＣｅｌｌ）、例えば、４２０及び４２５を更に提供するか又はこれに関連付けられてもよい。ＰＣｅｌｌ４１５及びＳＣｅｌｌ４２０／４２５は、ＵＥ１０５のマスターセルグループ（ＭＣＧ）４３０の一部であり得る。
【００４８】
いくつかの実施形態では、ｇＮＢ４１０は、ＵＥ１０５のプライマリセカンダリサービングセル（ＰＳＣｅｌｌ）４３５を提供するか又はこれに関連付けられてもよい。ｇＮＢ４１０は、１つ以上のＳＣｅｌｌ、例えば４４０及び４４５を更に提供し得る。ＰＳＣｅｌｌ４３５及びＳＣｅｌｌ４４０／４４５は、ＵＥ１０５のＳＣＧ４５０の一部であり得る。なお、「ＰＣｅｌｌのＡＮ」、「ＰＣｅｌｌのＡＮ」、及び「ＰＣｅｌｌ」は、本明細書の開示全体を通じて、並びにＰＳＣｅｌｌ、ＳＣｅｌｌ等の用語に関して、交換可能に使用されることに留意されたい。
【００４９】
ＥＮ−ＤＣモードに加えて、本明細書で論じられる様々な実施形態は、ＮＲ−ＤＣモード、及びＳＣＧ４５０におけるＮＲ動作を伴う他のＤＣ動作モードに適用される。本明細書の説明を簡単にするために、ＥＮ−ＤＣモードのみが例として説明されている。
【００５０】
ＵＥ１０５を用いてＥＮ−ＤＣモードで動作するネットワークでは、ＵＥ１０５は、ｅＮＢ４０５から、Ｅ−ＵＴＲＡ（進化型ユニバーサル地上無線アクセス）信号としても知られるＬＴＥ信号を受信し得る。ＬＴＥ信号は、複数のＬＴＥサブフレームを更に含む、複数のＬＴＥフレームを含み得る。これらのＬＴＥサブフレームは、（１つ又は複数の）ＭＣＧサービングセルサブフレーム、又は（１つ又は複数の）ＭＣＧサービングセルのＬＴＥサブフレームと呼ばれてもよい。セル４１５／４２０／４２５は、ＬＴＥサービングセルと呼ばれてもよい。一方、ＵＥ１０５は、ｇＮＢ４１０からｇＮＢ４１０を受信し得る。ＮＲ信号は、複数のＮＲサブフレームを更に含む、複数のＮＲフレームを含み得る。これらのＮＲサブフレームは、（１つ又は複数の）ＳＣＧサービングセルサブフレーム、又は（１つ又は複数の）ＳＣＧ切断セルのＮＲサブフレームと呼ばれてもよい。セル４３５／４４０／４４５は、ＮＲサービングセルと呼ばれてもよい。加えて、ＮＲサブフレームは、複数のＮＲスロットを含み得る。いくつかの実施形態では、ＮＲスロットは、ＭＧ開始を示す際に使用され得る。なお、ＮＲサブフレームは常に１ミリ秒（ｍｓ）であり得、ＮＲスロットは、１ｍｓであるか、又は様々なサブキャリア間隔（ＳＣＳ）のため時間領域において異なる長さを有し得ることに、留意されたい。
【００５１】
ＭＣＧ／ＳＣＧサービングセルの他に、ネットワーク４００には複数の隣接セルもあり得る。ｅＮＢ４０５に関連付けられたこれらの隣接セルはＭＣＧ非サービングセルと呼ばれてもよく、ｇＮＢ４１０に関連付けられた隣接セルはＳＣＧ非サービングセルと呼ばれてもよい。ＵＥ１０５は、参照信号測定を実行することによって、１つ以上の非サービングセルを監視し得る。参照信号は、サービング周波数又は非サービング周波数で動作し得る。サービング周波数は、１つ以上のサービングセルが動作する周波数である。非サービング周波数は、ある瞬間の全てのサービング周波数以外の周波数である。
【００５２】
ＵＥ１０５は、ネットワークからの構成に基づいて、ＳＣＧ４５０の１つ以上のセルに関連付けられた１つ以上の参照信号を測定し得る。構成は、ＭＮ４０５又はＳＮ４１０からのものであり得る。構成は、参照信号周波数の情報、ＳＣＳの情報、及びその他の情報を含む、１つ以上の測定対象（ＭＯ）を示すことができる。参照信号は、同期信号（ＳＳ）ブロック、チャネルステータス情報参照信号（ＣＳＩ−ＲＳ）を含み得るが、これらに限定されない。ＳＣＧ４５０に関連付けられた参照信号測定のうちの１つ以上に障害が発生するか又は特定の測定基準に基づいて障害が発生したと見なされる場合、ＳＣＧ４５０は、障害、又は障害ＳＣＧであると判断され得る。ＵＥ１０５が、対応する基準に基づいてＳＣＧ障害を判定した場合、ＵＥ１０５は、参照信号測定に対応するＳＣＧ障害に関する詳細を報告するために、ＭＮ４０５へのＳＣＧ障害報告を生成し得る。基準は、ＰＳＣｅｌｌ上の無線リンク障害（ＲＬＦ）及びＰＳＣｅｌｌ変更障害を含み得るが、これらに限定されない。このような報告は、一例として、ＭｅａｓＲｅｓｕｌｔＳＣＧ−Ｆａｉｌｕｒｅ（測定結果ＳＣＧ障害）情報要素（ＩＥ）を含み得る。ＭｅａｓＲｅｓｕｌｔＳＣＧ−ＦａｉｌｕｒｅＩＥは、以下に列挙される情報を含み得る。なお、ＭｅａｓＲｅｓｕｌｔＳＣＧ−ＦａｉｌｕｒｅＩＥは、障害発生参照信号に関するＳＣＳ情報を提供しないことに留意されたい。
【００５３】
【表１】
2022500955.tif 000003
【００５４】
ＮＲ通信では、ＮＲ数秘術により、１５ｋＨｚ、３０ｋＨｚ、１２０ｋＨｚ、２４０ｋＨｚ等の複数のＳＣＳが可能になる。このため、いかなる参照信号周波数でも、参照信号を特徴付けるために、複数のＳＣＳのうちの１つは参照信号周波数とともに使用され得る。従って、ＵＥ１０５が、障害発生又は検出した参照信号測定のＳＣＳ情報をＳＣＧ障害報告に含まない場合、ＭＮ４０５及び／又はＳＮ４１０は、特定のＳＣＳに関連付けられた正確な障害発生又は検出した参照信号測定を確認する方法を有していない場合がある。これにより、ＭＮ４０５／ＳＮ４１０に対して曖昧さを生じる可能性があり、ＭＮ４０５／ＳＮ４１０は、ネットワーク内の対応するデータ通信をスケジューリング又は構成すること、若しくはＳＣＧ障害報告に基づいて適切なセル及び／又はビームを有するＵＥ１０５を構成することができない場合がある。ＳＣＧ障害報告は、その目的を果たすのに不十分であり得る。
【００５５】
一例では、ＵＥ１０５は、ＳＳＢ周波数に対して１つ以上のＭＯを用いて構成されてもよく、これらの構成されたＭＯの各々は同じ参照信号周波数、ただし異なるＳＣＳを有してもよく、これは（１つ又は複数の）隣接セルを測定する際に使用され得る。例示的な構成は、以下に列挙される。
【００５６】
【表２】
2022500955.tif 000004
【００５７】
この例では、障害報告が、障害発生又は検出したＳＳのＳＣＳを示すことができる情報を含まない場合、ＭＮ４０５は、障害発生又は検出したＳＳＢのＳＣＳを判定することができない場合がある。同様に、ＣＳＩ−ＲＳ測定では、ＵＥ１０５は２つ以上のＭＯを用いて構成されてもよく、これらの構成されたＭＯの各々は、同じ基準周波数、ただし異なるＣＳＩ−ＲＳリソースを有してもよく、これは同じ又は異なるＳＣＳを有し得る。例示的な構成は、以下に列挙される。
【００５８】
【表３】
2022500955.tif 000005
【００５９】
ＳＳブロック（ＳＳＢ）を測定するシナリオでは、ＳＳＢ周波数及びＰＣＩ情報は、障害が発生したＳＳを示すのに十分であり得る。ＵＥ１０５は、１つ以上のＭＯに従ってＳＳＢを測定し、特定の周波数及び測定で障害が発生したＳＣＳを有する１つ（又はそれ以上）のＳＳＢを判定することができる。対応するＳＣＧ障害報告では、ＵＥ１０５は、ＳＳＢ周波数、及びＳＳＢに関連付けられている物理セルＩＤ（ＰＣＩ）をＭＮ４０５に報告してもよく、ＭＮ４０５は依然として、対応するＳＣＳ情報の欠落により、正確なＳＳＢを判定することができる。サービングセル及び／又は隣接セルがサービング周波数で動作しているいくつかのネットワークシナリオの下で、ＵＥは、１つ以上の帯域幅部分（ＢＷＰ）の１つ以上のＳＳＢを測定するように構成され得る。ＳＳＢ周波数はＢＷＰごとに異なるので、ＳＣＧ障害報告は、ＭＮ４０５／ＳＮ４１０の曖昧さを伴わずに障害発生又は検出した参照信号情報及び／又は測定を提供するのに十分であり得る。サービング周波数の隣接セルでは、対応するＰＣＩ情報は、障害発生又は検出した参照信号測定を十分に示すことができる。
【００６０】
ＣＳＩ−ＲＳを測定するシナリオでは、ＣＳＩ−ＲＳ周波数、対応するＰＣＩ、及びＣＳＩ−ＲＳインデックスが、ＳＣＧ報告に含まれ得る。セルがサービングセルである場合、ＵＥ１０５は、同じだが異なる（１つ又は複数の）ＳＣＳを有するＣＳＩ−ＲＳ周波数及びＰＣＩを測定するように構成され得る。例えば、ＵＥ１０５は、同じセル内の異なるＢＷＰで測定され得る。同じＰＣＩ及びＣＳＩ−ＲＳ周波数のセル測定が報告される場合、ＳＣＳが測定のために報告されていなければ、ＳＣＧ障害報告中の参照信号測定がどのＳＣＳを指しているかの曖昧さを生じる可能性がある。サービング及び非サービング周波数の両方の隣接セル測定でも同様の状況が起こりえる。
【００６１】
なお、ＣＳＩ−ＲＳインデックスは任意選択であってもよく、その使用は報告の構成に依存し得ることに留意されたい。例えば、ビーム測定では、同じＣＳＩ−ＲＳ周波数及びＰＣＩに関連する全てのビームのうちの特定のビームを示すために、ＣＳＩ−ＲＳリソースのＣＳＩ−ＲＳインデックスが使用され得る。しかし、ＣＳＩ−ＲＳインデックスは報告の構成に依存するので、利用できない場合がある。例えば、報告がセルレベル測定に基づく場合に、ＣＳＩ−ＲＳインデックスは利用できない可能性がある。
【００６２】
実施形態では、ＳＣＳ情報は、障害発生及び／又はその他の検出された参照信号をＭＮ４０５及び／又はＳＮ４１０が識別できるように、ＳＣＧ障害報告に含まれ得る。ＭｅａｓＲｅｓｕｌｔＳＣＧ−ＦａｉｌｕｒｅＩＥにおける例示的な報告が、以下に列挙される。この例では、ＳＣＳ情報は太字になっている。
【００６３】
【表４】
2022500955.tif 000006
【００６４】
実施形態では、代わりに又は追加で、測定識別（ＩＤ）が使用されてもよい。測定ＩＤは、とりわけ、参照信号のＳＣＳ情報を含むか又は示すことができるため。ＭＮ及び／又はＳＮ４１０は、測定ＩＤがＳＣＧ障害報告に含まれる場合に、参照信号のＳＣＳを判定することができるだろう。例えば、ＳＮ４１０が測定ＩＤを構成する場合、これは報告されている測定情報（例えば、周波数及びＳＣＳ）を知ることができるかも知れない。更に、ＭＮ４０５は、測定ＩＤ割り当てがＭＮ４０５とＳＮ４１０との間で整合されている場合に、測定を知ることができるかも知れない。ＭｅａｓＲｅｓｕｌｔＳＣＧ−ＦａｉｌｕｒｅＩＥにおける例示的な報告が、以下に列挙される。この例では、測定ＩＤ情報（ｍｅａｓｉｄ）は太字になっている。
【００６５】
【表５】
2022500955.tif 000007
【００６６】
実施形態では、ＭＮ４０５及び／又は４１０は、このような情報がＩＥに含まれていることを示す指示なしに、ＳＣＳ情報及び／又は測定ＩＤを復号化することはできない。この非臨界拡張の指示は、このような情報がＳＣＧ障害報告に含まれていることを示すために、ＭｅａｓＲｅｓｕｌｔＳＣＧ−ＦａｉｌｕｒｅＩＥ又は別個のＩＥで使用され得る。この構成変更可能なパラメータは、以前のリリースとの後方互換性を提供し得る。ＭｅａｓＲｅｓｕｌｔＳＣＧ−ＦａｉｌｕｒｅＩＥにおける例示的な指示が、以下に列挙される。この例では、非臨界拡張（ｍｅａｓＲｅｓｕｌｔＰｅｒＭＯＬｉｓｔＥｘｔ）は太字になっている。
【００６７】
【表６】
2022500955.tif 000008
【００６８】
実施形態では、ＭＮ４０５及び／又はＳＮ４１０を含むネットワークは、アドレスの曖昧さが生じないように、参照信号測定を肯定し得る。これは、ＭＮ４０５とＳＮ４１０との間の更なる整合及びネットワークの他の制御を必要とする可能性がある。
【００６９】
図５Ａは、様々な実施形態による、ＮＲ関連ネットワーク内のＵＥ１０５による参照信号測定に関するＳＣＧ障害を報告するプロセスを容易にするための動作フロー／アルゴリズム構造５００を示す。なお、図５Ａは、図４に関するＳＣＧ障害報告について説明された様々な実施形態と同じか又は実質的に同様であるＳＣＧ障害報告を説明することに留意されたい。動作フロー／アルゴリズム構造５００は、ＵＥ１０５又はその回路によって実行され得る。
【００７０】
動作フロー／アルゴリズム構造５００は、５１０において、ＳＣＧの参照信号の障害発生測定に基づいて、参照信号のＳＣＳ又は測定の測定ＩＤを示すＩＥを生成することを含み得る。ＩＥは、上記のようなＭｅａｓＲｅｓｕｌｔＳＣＧ−ＦａｉｌｕｒｅＩＥと同じか又は実質的に同様であってもよい。ＭｅａｓＲｅｓｕｌｔＳＣＧ−ＦａｉｌｕｒｅＩＥは、３ＧＰＰ技術仕様書（ＴＳ）３８．３３１，ｖ１５．２．１（２０１８年６月２１日）にも記載されている。参照信号は、ＳＳＢ、ＣＳＩ−ＲＳ、又は他の同様の参照信号であってもよい。ＩＥに関する更なる詳細は、図４に関する説明に見出すことができる。
【００７１】
動作フロー／アルゴリズム構造５００は、５２０において、ＩＥを含むメッセージをＡＮに送信することを更に含み得る。ＡＮは、この開示のＡＮ１１０と同じか又は実質的に同様であってもよい。メッセージの送信は、ＲＲＣ又は他の適合シグナリングを解してもよい。
【００７２】
いくつかの実施形態では、ＩＥは、ＩＥが参照信号のＳＣＳ又は測定の測定ＩＤの情報を含むことを示すビット情報を更に含んでもよい。このようなビットパラメータは、非臨界拡張であってもよく、ＭｅａｓＲｅｓｕｌｔＳＣＧ−ＦａｉｌｕｒｅＩＥ内のｍｅａｓＲｅｓｕｌｔＰｅｒＭＯＬｉｓｔＥｘｔとして表され得る。追加で、又は代わりに、このパラメータは、同じか又は異なるフォーマットで他の場所に示され、ＡＮに送信されてもよい。
【００７３】
実施形態では、ＵＥは、対応するＭＯに従ってＳＣＧに対して参照信号測定を実行するために、ＡＮから（１つ又は複数の）測定構成を受信し得る。ＵＥが（１つ又は複数の）参照信号を測定すると、様々な基準に基づいて、１つ以上の参照信号が測定に失敗したと判定することができる。ＵＥは、相応にＳＣＧ障害報告を生成することができる。
【００７４】
図５Ｂは、様々な実施形態による、ＮＲ関連ネットワーク内のＡＮ１１０による参照信号測定に関するＳＣＧ障害を報告するプロセスを容易にするための動作フロー／アルゴリズム構造５０５を示す。動作フロー／アルゴリズム構造５０５は、ＡＮ１１０又はその回路によって実行され得る。
【００７５】
動作フロー／アルゴリズム構造５０５は、５１５において、ＵＥによって生成されたＩＥを含むメッセージの受信時に、参照信号のＳＣＳ又はＳＣＧの参照信号の測定の測定ＩＤを示すＩＥを復号化することを含み得る。障害発生測定は、参照信号の測定に基づいて判定され得る。
【００７６】
動作フロー／アルゴリズム構造５０５は、５２５において、ＳＣＧの参照信号の障害発生測定を識別するために参照信号のＳＣＳを判定することを更に含み得る。十分な参照信号情報を用いて障害ＳＣＧが識別されると、ＡＮは、ＳＣＧに関する１つ以上のアクションを決定し得る。これらのアクションは、ＳＣＧをリリースすること、ＳＣＧを維持すること、ＳＣＧのＰＳＣｅｌｌを変更すること、及びＳＣＧの（１つ又は複数の）別のセルを変更することを含み得るが、これらに限定されない。
【００７７】
いくつかの実施形態では、ＡＮ１１０は最初に、参照信号のＳＣＳ、測定ＩＤ、又はその他の情報等の追加情報を含む受信したＳＣＧ障害報告を示す指示を復号化してもよい。
【００７８】
図６は、いくつかの実施形態によるベースバンド回路の例示的なインターフェースを示す。上記に議論したように、図２のベースバンド回路２０４は、プロセッサ２０４Ａ〜２０４Ｅと、当該プロセッサによって利用されるメモリ２０４Ｇと、を含み得る。ＵＥ１０５のプロセッサ２０４Ａ〜２０４Ｅは、図５Ａ及び図５Ｂに関する様々な実施形態に従って、動作フロー／アルゴリズム構造５００の一部又は全てを実行し得る。ＡＮ１１０のプロセッサ２０４Ａ〜２０４Ｅは、図５Ａ及び図５Ｂに関する様々な実施形態に従って、動作フロー／アルゴリズム構造５０５の一部又は全てを実行し得る。プロセッサ２０４Ａ〜２０４Ｅのそれぞれは、メモリ２０４Ｇに／メモリ２０４Ｇからデータを送信／受信するために、メモリインターフェース６０４Ａ〜６０４Ｅをそれぞれ含み得る。ＵＥ１０５のプロセッサ２０４Ａ〜２０４Ｅは、ＳＦＴＤ測定を処理するために使用され得る。ＡＮ１１０のプロセッサ２０４Ａ〜２０４Ｅは、ＳＦＴＤ測定構成を生成するために使用され得る。
【００７９】
ベースバンド回路２０４は、他の回路／デバイスに通信可能に連結するための１つ以上のインターフェースを更に含むことができ、それは、メモリインターフェース６１２（例えば、ベースバンド回路２０４の外部のメモリに／からデータを送信／受信するインターフェース）、アプリケーション回路インターフェース６１４（例えば、図２のアプリケーション回路２０２に／からデータを送信／受信するためのインターフェース）、ＲＦ回路インターフェース６１６（例えば、図２のＲＦ回路２０６に／からデータを送信／受信するインターフェース）、無線ハードウェア接続インターフェース６１８（例えば、近距離無線通信（ＮＦＣ）構成要素、Ｂｌｕｅｔｏｏｔｈ（登録商標）構成要素（例えば、Ｂｌｕｅｔｏｏｔｈ（登録商標）Ｌｏｗ  Ｅｎｅｒｇｙ）、Ｗｉ−Ｆｉ（登録商標）構成要素、及び他の通信構成要素に／からデータを送信／受信するインターフェース）、及び、電力管理インターフェース６２０（例えば、ＰＭＣ２１２に／から電力又は制御信号を送信／受信するためのインターフェース）等である。
【００８０】
図７は、いくつかの例示的な実施形態による、機械可読又はコンピュータ可読媒体（例えば、非一時的機械可読記憶媒体）から命令を読み取り、本明細書で論じられる方法論のうちのいずれか１つ以上を実行することが可能な構成要素を示すブロック図である。具体的には、図８は、１つ以上のプロセッサ（又はプロセッサコア）７１０、１つ以上のメモリ／記憶装置７２０、及び１つ以上の通信リソース７３０を含むハードウェアリソース７００の図式表現を示し、これらの各々は、バス８４０を介して通信可能に結合され得る。ノード仮想化（例えば、ネットワーク機能仮想化（ＮＦＶ））が利用される実施形態では、ハードウェアリソース７００を利用するために１つ以上のネットワークスライス／サブスライスに実行環境を提供するために、ハイパーバイザ７０２が実行されてもよい。
【００８１】
プロセッサ７１０（例えば、中央処理装置（ＣＰＵ）、縮小命令セットコンピューティング（ＲＩＳＣ）プロセッサ、複雑命令セットコンピューティング（ＣＩＳＣ）プロセッサ、グラフィック処理ユニット（ＧＰＵ）、ベースバンドプロセッサ等のデジタル信号プロセッサ（ＤＳＰ）、特定用途向け集積回路（ＡＳＩＣ）、無線周波数集積回路（ＲＦＩＣ）、他のプロセッサ、又はいずれか適切なこれらの組み合わせ）は、例えば、プロセッサ７１２及びプロセッサ７１４を含み得る。
【００８２】
メモリ／記憶装置７２０は、メインメモリ、ディスクストレージ、又はいずれか適切なこれらの組み合わせを含み得る。メモリ／記憶装置７２０は、ダイナミックランダムアクセスメモリ（ＤＲＡＭ）、スタティックランダムアクセスメモリ（ＳＲＡＭ）、消去可能プログラマブル読み出し専用メモリ（ＥＰＲＯＭ）、電気的消去可能プログラム可能読み出し専用メモリ（ＥＥＰＲＯＭ）、フラッシュメモリ、ソリッドステートストレージ等のような任意のタイプの揮発性又は不揮発性メモリを含み得るが、これらに限定されない。
【００８３】
通信リソース７３０は、ネットワーク７０８を介して１つ以上の周辺機器７０４又は１つ以上のデータベース７０６と通信するための、相互接続又はネットワークインターフェースコンポーネントを含み得る。例えば、通信リソース７３０は、有線通信構成要素（例えば、ユニバーサルシリアルバス（ＵＳＢ）を介した結合のための）、セルラー通信構成要素、ＮＦＣ構成要素、Ｂｌｕｅｔｏｏｔｈ（登録商標）構成要素（例えば、Ｂｌｕｅｔｏｏｔｈ（登録商標）Ｌｏｗ  Ｅｎｅｒｇｙ）、Ｗｉ−Ｆｉ（登録商標）構成要素、及び他の通信構成要素を含み得る。
【００８４】
命令７５０は、プロセッサ７１０のうちの少なくともいずれかに、本明細書で論じられた方法論、例えば動作フロー５００及び５０５のうちの任意の１つ以上を実行させるための、ソフトウェア、プログラム、アプリケーション、アプレット、アプリ、又は他の実行可能なコードを含み得る。例えば、ハードウェアリソース７００がＵＥ１０５内に実装される実施形態では、命令７５０はＵＥに、動作フロー／アルゴリズム構造５００の一部又は全てを実行させることができる。別の実施形態では、ハードウェアリソース７００は、ＡＮ１１０内に実装され得る。命令７５０はＡＮ１１０に、動作フロー／アルゴリズム構造５０５の一部又は全てを実行させることができる。命令７５０は、プロセッサ７１０（例えば、プロセッサのキャッシュメモリ内）、メモリ／記憶装置７２０、又はいずれか適切なこれらの組み合わせのうちの少なくとも１つの中に、完全に又は部分的に常駐し得る。更に、命令７５０の任意の部分は、周辺機器７０４又はデータベース７０６の任意の組み合わせからハードウェアリソース７００に転送されてもよい。従って、プロセッサ７１０のメモリ、メモリ／記憶装置７２０、周辺機器７０４、及びデータベース７０６は、コンピュータ可読及び機械可読媒体の例である。
【００８５】
様々な実施形態のいくつかの非限定的な例が、下記に提供される。
【００８６】
例１は、参照信号の測定に対応するＳＣＧ障害に基づいて、ＳＣＧ障害に関する情報を示すＩＥを生成する、又は生成させることと、メッセージをアクセスノード（ＡＮ）に送信する、又は送信させることと、を含む方法を含み得る。
【００８７】
例１．５は、参照信号の障害発生測定に基づいて、ＳＣＧ障害に関する情報を示すＩＥを生成する、又は生成させることと、メッセージをアクセスノード（ＡＮ）に送信する、又は送信させることと、を含む方法を含み得る。
【００８８】
例２は、ＩＥが参照信号のＳＣＳを示すものである、例１／１．５及び／又は本明細書のその他いくつかの例に記載の方法を含み得る。
【００８９】
例３は、ＩＥが測定の測定ＩＤを示すものである、例１／１．５及び／又は本明細書のその他いくつかの例に記載の方法を含み得る。
【００９０】
例４は、測定ＩＤが、とりわけ、参照信号の周波数及び参照信号のＳＣＳを示すものである、例３及び／又は本明細書のその他いくつかの例に記載の方法を含み得る。
【００９１】
例５は、ＩＥがＳＣＧ障害を報告するものである、例１及び／又は本明細書のその他いくつかの例に記載の方法を含み得る。
【００９２】
例６は、ＩＥがＭｅａｓＲｅｓｕｌｔＳＣＧ−ＦａｉｌｕｒｅＩＥである、例１から５及び／又は本明細書のその他いくつかの例に記載の方法を含み得る。
【００９３】
例７は、参照信号が、同期信号ブロック（ＳＳＢ）又はチャネルステータス情報参照信号（ＣＳＩ−ＲＳ）を含む、例１から６及び／又は本明細書のその他いくつかの例に記載の方法を含み得る。
【００９４】
例８は、ＩＥが、参照信号のＳＣＳ又は測定の測定ＩＤに関する情報をＩＥが含むことを示すためのビットを含む、例１から７及び／又は本明細書のその他いくつかの例に記載の方法を含み得る。
【００９５】
例９は、ＩＥが第１のＩＥであり、実行時に、命令がＵＥに、第１のＩＥが参照信号のＳＣＳ又は測定の測定ＩＤの情報を含むことを示すための第２のＩＥを更に生成させるものである、例１から７及び／又は本明細書のその他いくつかの例に記載の方法を含み得る。
【００９６】
例１０は、ＳＣＧのセル又はＳＣＧのセルのビームに関する参照信号を測定する、又は測定させることと、ＳＣＧのセルに関する参照信号の測定からの１つ以上の測定結果に基づいて、ＳＣＧが障害であると判定する、又は判定させることを更に含む、例１から９及び／又は本明細書のその他いくつかの例に記載の方法を含み得る。
【００９７】
例１１は、セルがＳＣＧのサービングセル又は隣接セルである、例１０及び／又は本明細書のその他いくつかの例に記載の方法を含み得る。
【００９８】
例１２は、参照信号が、サービングセル又は隣接セルのサービング周波数、若しくはサービングセル又は隣接セルの非サービング周波数で動作するものである、例１０及び／又は本明細書のその他いくつかの例に記載の方法を含み得る。
【００９９】
例１３は、ＡＮが、ＥＮ−ＤＣネットワーク、ＮＲ−ＤＣネットワーク、又はＳＣＧ内のＮＲ動作を有するネットワークのマスターノード（ＭＮ）である、例１から１２及び／又は本明細書のその他いくつかの例に記載の方法を含み得る。
【０１００】
例１４は、方法がＵＥ又はその一部分によって実行される、例１から１３及び／又は本明細書のその他いくつかの例に記載の方法を含み得る。
【０１０１】
例１５は、ＵＥによって生成されたＩＥを含むメッセージの受信時に、参照信号の測定に基づいてＵＥによって判定された障害ＳＣＧに関する情報を示すＩＥを復号化する、又は復号化させることと、とりわけ、障害ＳＣＧを識別するための参照信号のＳＣＳを判定する、又は判定させることと、を含む方法を含み得る。
【０１０２】
例１６は、ＩＥが参照信号のＳＣＳを示すものである、例１５及び／又は本明細書のその他いくつかの例に記載の方法を含み得る。
【０１０３】
例１７は、ＩＥが測定の測定ＩＤを示すものである、例１５及び／又は本明細書のその他いくつかの例に記載の方法を含み得る。
【０１０４】
例１８は、測定ＩＤが、とりわけ、参照信号の周波数及び参照信号のＳＣＳを示すものである、例１５及び／又は本明細書のその他いくつかの例に記載の方法を含み得る。
【０１０５】
例１９は、ＩＥがＳＣＧ障害を報告するものであり、ＭｅａｓＲｅｓｕｌｔＳＣＧ−ＦａｉｌｕｒｅＩＥである、例１５から１８及び／又は本明細書のその他いくつかの例に記載の方法を含み得る。
【０１０６】
例２０は、ＩＥが、参照信号のＳＣＳ又は測定の測定ＩＤに関する情報をＩＥが含むことを示すためのビットを含む、例１５から１９及び／又は本明細書のその他いくつかの例に記載の方法を含み得る。
【０１０７】
例２１は、ＩＥが第１のＩＥであり、実行時に、命令がＡＮに、第１のＩＥが参照信号のＳＣＳ又は測定の測定ＩＤの情報を含むことを示すための第２のＩＥを更に復号化させるものである、例１５から２０及び／又は本明細書のその他いくつかの例に記載の方法を含み得る。
【０１０８】
例２２は、復号化に基づいて障害ＳＣＧをリリースする、又はリリースさせることを更に含む、例１５から２０及び／又は本明細書のその他いくつかの例に記載の方法を含み得る。
【０１０９】
例２３は、障害ＳＣＧを変更する、又は変更させることを更に含む、例１５から２０及び／又は本明細書のその他いくつかの例に記載の方法を含み得る。
【０１１０】
例２４は、障害ＳＣＧを変更することが、障害ＳＣＧの１つ以上のセルに対して１つ以上の動作周波数及び／又は関連するＳＣＳを変更することである、例２３及び／又は本明細書のその他いくつかの例に記載の方法を含み得る。
【０１１１】
例２５は、ＡＮが、ＥＮ−ＤＣネットワーク、ＮＲ−ＤＣネットワーク、又はＳＣＧ内のＮＲ動作を有するネットワークのマスターノード（ＭＮ）である、例１５から２４及び／又は本明細書のその他いくつかの例に記載の方法を含み得る。
【０１１２】
例２６は、方法がＡＮ又はその一部分によって実行される、例１５から２５及び／又は本明細書のその他いくつかの例に記載の方法を含み得る。
【０１１３】
例２７は、例１から２６のいずれかに記載の、又はこれらに関連する方法、若しくは本明細書に記載されるその他いずれかの方法又はプロセスの１つ以上の要素を実行するための手段を備える装置を含み得る。
【０１１４】
例２８は、電子デバイスの１つ以上のプロセッサによる命令の実行時に、電子デバイスに、例１から２６のいずれかに記載の、又はこれらに関連する方法、若しくは本明細書に記載されるその他いずれかの方法又はプロセスの１つ以上の要素を実行させるための命令を備える、１つ以上の非一時的コンピュータ可読媒体を含み得る。
【０１１５】
例２９は、例１から２６のいずれかに記載の、又はこれらに関連する方法、若しくは本明細書に記載されるその他いずれかの方法又はプロセスの１つ以上の要素を実行するためのロジック、モジュール、及び／又は回路を備える装置を含み得る。
【０１１６】
例３０は、例１から２６のいずれかに記載の、又はこれらに関連する方法、技術、又はプロセス、若しくはこれらの部分又は部品を含み得る。
【０１１７】
例３１は、１つ以上のプロセッサと、１つ以上のプロセッサによって実行されると、１つ以上のプロセッサに例１から２６のいずれかに記載の、又はこれらに関連する方法、技術、又はプロセス、若しくはこれらの部分を実行させる命令を備える１つ以上のコンピュータ可読媒体と、を備える装置を含み得る。
【０１１８】
本開示は、本開示の実施形態による方法、装置（システム）、及びコンピュータプログラム製品のフローチャート図又はブロック図を参照して説明されている。フローチャート図又はブロック図の各ブロック、並びにフローチャート図又はブロック図のブロックの組み合わせは、コンピュータプログラム命令によって実施され得ることが、理解されるだろう。これらのコンピュータプログラム命令は、コンピュータ又はその他のプログラマブルデータ処理装置のプロセッサを介して実行される命令が、フローチャート又はブロック図のブロック（単数又は複数）で指定された機能／作用を実施するための手段を作り出すように、マシンを作成するために、汎用コンピュータ、専用コンピュータ、又はその他のプログラマブルデータ処理装置のプロセッサに提供され得る。
【０１１９】
これらのコンピュータプログラム命令は又、コンピュータ可読媒体に記憶されてもよく、これらのコンピュータプログラム命令は、コンピュータ可読媒体に記憶された命令が、フローチャート又はブロック図のブロック（単数又は複数）で指定された機能／作用を実施する命令手段を含む製造物品を作成するように、特定の方法で機能するようにコンピュータ又はその他のプログラマブルデータ処理装置に指示することができる。
【０１２０】
コンピュータプログラム命令は又、コンピュータ又はその他のプログラマブル装置上で実行される命令が、フローチャート又はブロック図のブロック（単数又は複数）で指定された機能／作用を実施するためのプロセスを提供するように、コンピュータ実施プロセスを作成するためにコンピュータ又はその他のプログラマブル装置上で一連の動作ステップを実行させるために、コンピュータ又はその他のプログラマブルデータ処理装置上にロードされてもよい。
【０１２１】
要約書に記載されているものを含む、例示された実装形態の本明細書での説明は、網羅的であることも、開示された形態に本開示を限定することも、意図するものではない。特定の実装形態及び例が例示目的のために本明細書に記載されているが、当業者によって認識されるように、本開示の範囲から逸脱することなく、同じ目的を達成するために計算された様々な代替又は同等の実施形態又は実装形態が、上記の詳細な説明に照らしてなされ得る。
【図１】
2022500955.tif 000009
【図２】
2022500955.tif 000010
【図３Ａ】
2022500955.tif 000011
【図３Ｂ】
2022500955.tif 000012
【図４】
2022500955.tif 000013
【図５Ａ】
2022500955.tif 000014
【図５Ｂ】
2022500955.tif 000015
【図６】
2022500955.tif 000016
【図７】
2022500955.tif 000017
【国際調査報告】
2022500955.tif 000018
2022500955.tif 000019